(57)【要約】【課題】移動通信システムにおける携帯電話の機能制御方法を提供すること。【解決手段】擬似雑音(ＰＮ)コードを有するパイロット信号を受信するステップと、受信されたパイロット信号が予め定められたＰＮオフセットを有しているかどうかを判断するステップと、パイロット信号が予め定められた第１のＰＮオフセットである場合、携帯電話の特定の機能制限を設定するステップと、パイロット信号が予め定められた第２のＰＮオフセットである場合、設定された携帯電話の特定の機能制限を解除するステップとを具備する。【選択図】図３
2007020170.tif 000002
【特許請求の範囲】
【請求項１】
移動通信システムにおける携帯電話の機能制御方法であって、
擬似雑音(ＰＮ)コードを有するパイロット信号を受信するステップと、 
受信された前記パイロット信号が予め定められたＰＮオフセットを有しているかどうかを判断するステップと、
前記パイロット信号が予め定められた第１のＰＮオフセットである場合、携帯電話の特定の機能制限を設定するステップと、
前記パイロット信号が予め定められた第２のＰＮオフセットである場合、設定された前記携帯電話の特定の機能制限を解除するステップと
を具備することを特徴とする携帯電話の機能制御方法。
【請求項２】
前記パイロット信号が予め定められた第１のＰＮオフセットである場合、前記第１のＰＮオフセットに対応する機能制限の設定指令を遂行して携帯電話の特定の機能を制限するステップと、
前記パイロット信号が予め定められた第２のＰＮオフセットである場合、前記第２のＰＮオフセットに対応する機能制限の解除指令を遂行して、制限された前記携帯電話の特定の機能を解除するステップと
をさらに具備することを特徴とする請求項１記載の携帯電話の機能制御方法。
【請求項３】
移動通信システムにおける携帯電話の特定の機能制限を設定する第１の区域と前記機能制限の設定を解除する第２の区域とを送出領域としてそれぞれ有する携帯電話制御信号送出装置の動作方法であって、 
前記携帯電話の特定の機能制限を設定するために定められた擬似雑音(ＰＮ)オフセット及び前記特定の機能制限の設定を解除するために定められた擬似雑音(ＰＮ)オフセットを各々有するパイロット信号を生成するステップと、
生成された前記パイロット信号を第１の区域及び第２の区域の各々へ送出するステップと
を具備することを特徴とする携帯電話制御信号送出装置の動作方法。
【請求項４】
移動通信システムにおける携帯電話の機能制御方法であって、
前記携帯電話の特定の機能制限を設定する第１の区域と前記機能制限の設定を解除する第２の区域とを送出領域としてそれぞれ有し、前記携帯電話の特定の機能制限を設定するために定められた第１のパイロット信号及び前記特定の機能制限を解除するために定められた第２のパイロット信号を前記区域へ各々送出するステップと、
前記携帯電話が前記第１のパイロット信号を受信すると、前記特定の機能制限を設定するステップと、
前記第２のパイロット信号を受信すると、前記携帯電話に設定された特定の機能制限を解除するステップと
を具備することを特徴とする携帯電話の機能制御方法。
【請求項５】
前記パイロット信号は、
予め定められたＰＮオフセットを有することを特徴とする請求項４記載の携帯電話の機能制御方法。
【請求項６】
移動通信システムにおける携帯電話の機能制御装置であって、 
擬似雑音(ＰＮ)コードを有するパイロット信号を受信する受信部と、
受信された前記パイロット信号が予め定められたＰＮオフセットを有しているかどうかを判断する判断部と、
前記パイロット信号が予め定められた第１のＰＮオフセットである場合、携帯電話の特定の機能制限を設定し、前記パイロット信号が予め定められた第２のＰＮオフセットである場合、設定された前記携帯電話の特定の機能制限を解除する制御部と
を具備することを特徴とする携帯電話の機能制御装置。
【請求項７】
前記受信部で受信したパイロット信号が予め定められたＰＮオフセットを有するかどうかを探索する探索部をさらに具備することを特徴とする請求項６記載の携帯電話の機能制御装置。
【請求項８】
前記制御部は、 
前記パイロット信号が予め定められた第１のＰＮオフセットである場合、前記第１のＰＮオフセットに対応する機能制限の設定指令を遂行して携帯電話の特定の機能を制限し、前記パイロット信号が予め定められた第２のＰＮオフセットである場合、前記第２のＰＮオフセットに対応する機能制限の解除指令を遂行して、制限された前記携帯電話の特定の機能を解除することをさらに具備することを特徴とする請求項６記載の携帯電話の機能制御方法。
【請求項９】
移動通信システムにおける携帯電話の特定の機能制限を設定する第１の区域と前記機能制限の設定を解除する第２の区域とを送出領域として各々有する携帯電話制御信号送出装置であって、 
前記携帯電話の特定の機能制限を設定するために定められた擬似雑音(ＰＮ)オフセット及び前記特定の機能制限の設定を解除するために定められた擬似雑音(ＰＮ)オフセットを各々有するパイロット信号を生成する制御信号発生部と、
生成された前記パイロット信号を第１の区域及び第２の区域の各々へ送出する送信部と
を具備することを特徴とする携帯電話制御信号送出装置。
【請求項１０】
携帯電話の機能制御を遂行する移動通信システムであって、 
前記携帯電話の特定の機能制限を設定する第１の区域と前記機能制限の設定を解除する第２の区域を送出領域として各々有し、前記携帯電話の特定の機能制限を設定するために定められた第１のパイロット信号及び前記特定の機能制限を解除するために定められた第２のパイロット信号を前記区域へ各々送出する制御信号送出装置と、
前記第１のパイロット信号を受信すると、前記特定の機能制限を設定し、前記第２のパイロット信号を受信すると、前記携帯電話に設定された特定の機能制限を解除する携帯電話と
を具備することを特徴とする携帯電話の機能制御を遂行する移動通信システム。
【請求項１１】
前記パイロット信号は、
予め定められたＰＮオフセットを有することを特徴とする請求項１０記載の携帯電話の機能制御を遂行する移動通信システム。
【発明の詳細な説明】
【技術分野】
【０００１】
本発明は移動通信システムに係り、特に特定の地域において、携帯電話の各種機能を効率よく制御するための方法及び装置に関する。
【背景技術】
【０００２】
今日の通信技術の発展には目を見張るものがあり、これに伴い、携帯電話は、ほとんど現代人にとって必須品となっている。ところが、その分、携帯電話の機能の多様化及び高性能化によるプライバシーの侵害及び情報流出などの副作用が生じている。また、携帯電話の使用を制限している地域であっても、ベルが鳴ったり、さらには、通話をする人々も結構存在している。
【０００３】
例えば、カメラ付き携帯電話を用いて他人をひそかに撮影したり、各種の機密文書の撮影を行ったりして、携帯電話中のメモリにデータを記憶することも可能である。コンサート場や劇場、映画館においても、ベルがなる状況や、通話をする人々を見るのも珍しくない。これに伴い、セキュリティが必要な特定の地域や建物においては、出入りをする度に一々携帯電話をしばらくの間預かってもらったり、カメラモジュール付き携帯電話におけるカメラレンズ部を閉塞したりしている。そして、コンサート場や劇場、映画館においては、鑑賞前に携帯電話の電源を切っておくことを頼んでいるものの、これが必ずしも守られているとは限らない。
【０００４】
この理由から、特定の領域内において携帯電話の機能を自動的に制御するようなシステムを工夫する必要がある。
【０００５】
図１は、従来の携帯電話の制御信号送信器の構造図である。
【０００６】
図１における携帯電話の制御信号送信器は、制御信号発生器１０５を介して所定の特定フォーマットの制御信号を生成し、変調器１１５においては、この生成された制御信号を変調する。上記変調された信号は、発振器１１０において生成された高周波信号に乗せられて増幅器１２０により増幅され、上記増幅された信号は、整合回路１２５を経て受信器に送られる。
【０００７】
このように、従来の携帯電話の制御信号送信器は、通常の携帯電話に用いられる周波数と信号ではなく、特定の周波数帯の信号を用いて制御信号を生成したり、特定の信号発生器（赤外線通信方式など）を用いたりしている。このため、携帯電話が制御信号を受信するためには、送信器に対応する受信器を別体に装備しなければならず、また、これを処理するための各種装置が必要となる。
【０００８】
図２は、従来の携帯電話の制御信号受信器の構造図である。
【０００９】
図２における携帯電話の制御信号受信器は、図１における携帯電話の制御送信器から携帯電話制御信号付き無線信号を受信し、分離器２０５において所望の周波数帯域の信号を取り出す。上記取り出された信号は、低電力増幅器２１０において増幅され、上記増幅された信号は、中間周波数変換器２２０に送られる。上記中間周波数変換器２２０においては、上記増幅された信号を発振器２１５から入力された周波数信号と混合して中間周波数信号に変換し、上記中間周波数信号は、復調器２３０において復調されて制御信号として出力され、上記制御信号を基に、携帯電話の特定の機能が制御される。
【００１０】
このようにして動作する従来の技術による携帯電話の機能制御にあっては、携帯電話に別体の受信器が装備される必要があるため、端末のコスト高となるのはもちろん、既に生産済みの携帯電話は制御することができない。それに、新規に生産される携帯電話の場合であっても、メーカーによって機能の適用有無が決まるため、汎用性に乏しい。また、制御信号が受信される地域に限って適用可能であるため、受信可能な地域から外れる場合には制御できないという不都合がある。
【発明の開示】
【発明が解決しようとする課題】
【００１１】
本発明は上記の事情に鑑みてなされたものであり、その目的は、携帯電話の機能を制御するに当たり、別途の周波数を用いる必要がなく、既存の周波数を用いて携帯電話のソフトウェアを変更するだけで、携帯電話の機能を制御する方法及び装置を提供するところにある。
【００１２】
本発明の他の目的は、パイロット信号を用いて携帯電話の各種機能を制御する方法及び装置を提供するところにある。
【００１３】
本発明のさらに他の目的は、パイロット信号を用いて携帯電話の機能を制御するシステムにおいて、ネットワークを構築し易くして、携帯電話の機能の制御を効率よく行うための方法及び装置を提供するところにある。
【課題を解決するための手段】
【００１４】
このような目的を達成するために、本発明の第１の見地によると、移動通信システムにおける携帯電話の機能制御方法は、擬似雑音(ＰＮ)コードを有するパイロット信号を受信するステップと、 受信された上記パイロット信号が予め定められたＰＮオフセットを有しているかどうかを判断するステップと、上記パイロット信号が予め定められた第１のＰＮオフセットである場合、携帯電話の特定の機能制限を設定するステップと、上記パイロット信号が予め定められた第２のＰＮオフセットである場合、設定された上記携帯電話の特定の機能制限を解除するステップとを具備することを特徴とする。
【００１５】
本発明の第２の見地によると、移動通信システムにおける携帯電話の特定の機能制限を設定する第１の区域と上記機能制限の設定を解除する第２の区域とを送出領域としてそれぞれ有する携帯電話制御信号送出装置の動作方法は、上記携帯電話の特定の機能制限を設定するために定められた擬似雑音(ＰＮ)オフセット及び上記特定の機能制限の設定を解除するために定められた擬似雑音(ＰＮ)オフセットを各々有するパイロット信号を生成するステップと、生成された上記パイロット信号を第１の区域及び第２の区域の各々へ送出するステップとを具備することを特徴とする。
【００１６】
本発明の第３の見地によると、移動通信システムにおける携帯電話の機能制御方法は、上記携帯電話の特定の機能制限を設定する第１の区域と上記機能制限の設定を解除する第２の区域とを送出領域としてそれぞれ有し、上記携帯電話の特定の機能制限を設定するために定められた第１のパイロット信号及び上記特定の機能制限を解除するために定められた第２のパイロット信号を上記区域へ各々送出するステップと、上記携帯電話が上記第１のパイロット信号を受信すると、上記特定の機能制限を設定するステップと、上記第２のパイロット信号を受信すると、上記携帯電話に設定された特定の機能制限を解除するステップとを具備することを特徴とする。
【００１７】
本発明の第４の見地によると、移動通信システムにおける携帯電話の機能制御装置は、擬似雑音(ＰＮ)コードを有するパイロット信号を受信する受信部と、受信された上記パイロット信号が予め定められたＰＮオフセットを有しているかどうかを判断する判断部と、上記パイロット信号が予め定められた第１のＰＮオフセットである場合、携帯電話の特定の機能制限を設定し、上記パイロット信号が予め定められた第２のＰＮオフセットである場合、設定された上記携帯電話の特定の機能制限を解除する制御部とを具備することを特徴とする。
【００１８】
本発明の第５の見地によると、移動通信システムにおける携帯電話の特定の機能制限を設定する第１の区域と上記機能制限の設定を解除する第２の区域とを送出領域として各々有する携帯電話制御信号送出装置は、上記携帯電話の特定の機能制限を設定するために定められた擬似雑音(ＰＮ)オフセット及び上記特定の機能制限の設定を解除するために定められた擬似雑音(ＰＮ)オフセットを各々有するパイロット信号を生成する制御信号発生部と、生成された上記パイロット信号を第１の区域及び第２の区域の各々へ送出する送信部とを具備することを特徴とする。
【００１９】
本発明の第６の見地によると、携帯電話の機能制御を遂行する移動通信システムは、上記携帯電話の特定の機能制限を設定する第１の区域と上記機能制限の設定を解除する第２の区域を送出領域として各々有し、上記携帯電話の特定の機能制限を設定するために定められた第１のパイロット信号及び上記特定の機能制限を解除するために定められた第２のパイロット信号を上記区域へ各々送出する制御信号送出装置と、上記第１のパイロット信号を受信すると、上記特定の機能制限を設定し、上記第２のパイロット信号を受信すると、上記携帯電話に設定された特定の機能制限を解除する携帯電話とを具備することを特徴とする。
【発明の効果】
【００２０】
本発明の代表的な発明により得られる効果を簡単に述べると、下記の通りである。
【００２１】
本発明は、携帯電話の機能を制御することにより、ともすればプライバシーの侵害及び情報流出などが起こりがちである特定の地域や位置における携帯電話の機能制限を行うことができる。また、特定の地域に設置して制御する方式であることから、低電力をもって制御信号送出装置を設計することができる。さらに、携帯電話内に別途の付加装置を埋め込む必要がないことから、経済的であり、且つ、ソフトウェアの標準化を通じて汎用できる。
【発明を実施するための最良の形態】
【００２２】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。そして、後述する用語は本発明における機能を考慮して定義されたものであって、これは、ユーザー、運用者の意図または慣例などによって変わりうる。よって、その定義はこの明細書の全般に亘っての内容を基に行われるべきである。
【００２３】
本発明は、携帯電話の機能制御のためのもので限定されているが、ＰＤＡ又はノート型パソコンなどのような、基地局とＰＮオフセットを有するパイロット信号を送受信して通信を遂行するすべての機器が含まれてよい。
【００２４】
本発明の携帯電話の機能制御は、特定の地域に入るときに制御信号を受信して携帯電話の機能を制限し、退出時に携帯電話の機能制限を解除する方式であって、携帯電話の機能を制限したい地域の全体に亘って制御信号を生じる必要がなく、上記地域への侵入時のみに対し制御信号を送り出すため、低電力での送出が可能になる。
【００２５】
ここで、上記制限したい携帯電話の機能は、カメラ、通話機能、着発信、メロディモードから振動モードへの切り替え、音楽のプレイ機能若しくは電源のオン／オフなど、ユーザーまたは携帯電話の供給業者が有線／無線にて制御可能なあらゆる機能のうちの少なくとも１つである。
【００２６】
図３は、本発明の好適な実施の形態による携帯電話の機能制御システムの構造図である。
【００２７】
本発明の携帯電話の機能制御システムは、携帯電話の機能制御が必要な特定の地域、すなわち、禁止域３４０と非禁止域３００、境界域３２０に設けられ、進入時に携帯電話の機能を制限し、退出時に携帯電話の機能制限を解除する方式となっている。このシステムは、２台の携帯電話の制御信号送出装置３２２、３２４と、管理装置３２６とにより構成されている。ここで、境界域３２０は、例えば、禁止域３４０に設定された保安建物、公演場、展示場などの出入口であっても良い。
【００２８】
図３を参照すると、本発明の携帯電話の機能制御システムは、携帯電話の制御信号送出装置に相当する２台のセキュリティシステム（Security System Main Unit、以下、「ＳＳＭＵ」と称する）３２２、３２４と、管理装置に相当するセキュリティシステム管理装置（ＳＳＭＵ Manager、以下、「ＳＭ」と称する）３２６とにより構成される。
【００２９】
ＳＭ３２６は、第１のＳＳＭＵ３２２及び第２のＳＳＭＵ３２４に必要な各種情報（ソフトウェア管理情報など）を第１のＳＳＭＵ３２２及び第２のＳＳＭＵ３２４にダウンロードし、上記第１のＳＳＭＵ３２２及び第２のＳＳＭＵ３２４の各種障害と状態を収集・管理する動作を行う。上記ＳＭ３２６は、携帯電話の機能制御システムのオペレータに便宜性を提供するために、グラフィックユーザーインタフェース（ＧＵＩ：Graphic User Interface）により構成する。
【００３０】
上記第１のＳＳＭＵ３２２及び第２のＳＳＭＵ３２４は、上記ＳＭ３２６の制御によって携帯電話の機能を制御するための信号をそれぞれ送り出し、上記制御信号の送出領域の拡大若しくは縮小のために出力電力を制御する。このとき、上記携帯電話の機能を制御するための信号としては、移動通信システムの基地局において、移動局と基地局との同期、および基地局の識別のために用いられる特別な擬似雑音（Pseudo Noise、以下、「ＰＮ」と称する）コードを有するパイロット信号を用いる。例えば、上記基地局を識別するためのパイロット信号は、５１２個のＰＮオフセットのうちいずれか一つを有し、本発明においては、上記オフセットを用いて携帯電話の機能を制御する。
【００３１】
第１のＳＳＭＵ３２２及び第２のＳＳＭＵ３２４において異なる特定の値のＰＮオフセットを有するパイロット信号を送り出すと、携帯電話がこれを受信して携帯電話の機能制限が必要な領域への進入を判断する。
【００３２】
第１のＳＳＭＵ３２２及び第２のＳＳＭＵ３２４は、それぞれ所定の範囲のパイロット信号送出領域３１０、３３０を有する。第１のＳＳＭＵ３２２は境界域３２０に位置付けられ、非禁止域３００に向けて特定のＰＮオフセット（例えば、「１」）の第１のパイロット信号を送り出して、第１の領域３１０を形成する。同様に、第２のＳＳＭＵ３２４は境界域３２０に位置づけられ、禁止域３４０に向けて他のＰＮオフセット（例えば、「５１１」）の第２のパイロット信号を送り出して第２の領域３３０を形成する。
【００３３】
携帯電話における機能制御は、第１のＳＳＭＵ３２２及び第２のＳＳＭＵ３２４から送り出す特別なＰＮオフセット（例えば、１、５１１番）を有するパイロット信号を見つけることにより行われる。例えば、携帯電話３０２を所持しているユーザーが非禁止域３００において、第１のＳＳＭＵ３２２から携帯電話の機能制御信号であるＰＮ「１」を送り出す第１の領域３１０に入ったとき、携帯電話３０２は上記ＰＮ「１」を検出し、制御が必要な領域であることを感知し、スロットモードからノンスロットモードへと切り替えてＰＮ「５１１」を見つける。ここで、ノンスロットモードにおいては、携帯電話が特定のスロットでのみ受信信号を監視するスロットモードに比べて、１フレームの全てのスロットを監視するため、ＰＮ「５１１」を一層速やかに見つけることができる。
【００３４】
上記ユーザーが上記第１の領域３１０を通って、第２のＳＳＭＵ３２４からＰＮ「５１１」を送り出す第２の地域３３０に入ったとき、上記ユーザーが所持している携帯電話３０２においては、上記ＰＮ「１」と上記ＰＮ「５１１」を連続して検出し、制限が必要な禁止領域３４０に入ったことを判断して特定の機能を制限し、スロットモードに切り替えて携帯電話の電力消費を抑える。ここで、特定の機能は、携帯電話における所定の特定機能、例えば、電源機能、カメラ機能、着メロ機能、通話機能のうちの少なくとも１つであっても良い。
【００３５】
この後、携帯電話の機能が制限された状態において、携帯電話はＰＮ「５１１」を見つける。携帯電話が禁止域３４０から外れて境界域３２０がある出口に移動して上記ＰＮ「５１１」を見つけた場合、携帯電話３０２はノンスロットモードに切り替えてＰＮ「１」を見つけようとする。上記境界域３２０を通り、非禁止域３００において上記ＰＮ「１」を見つけた場合、携帯電話は、機能の制限状態を解除されて、スロットモードに切り替えられる。
【００３６】
一方、図３では、２つの携帯電話制御信号送出装置３２２及び３２４を使用した実施形態であって、１つの携帯電話制御信号送出装置で２本のアンテナを使用して携帯電話禁止域３４０及び携帯電話非禁止域３００へそれぞれ相互に異なるＰＮオフセットを有するパイロット信号を送信することも可能である。
【００３７】
図４は、本発明の好適な実施の形態による携帯電話の制御信号送出器の構造図である。
【００３８】
図４における携帯電話の制御信号送出器４００は、電源を供給するための電源部４０５、制御信号を生成するためのデジタル信号処理とＣＤＭＡ変調の機能を行う制御信号発生部４１０、ＣＤＭＡパイロット信号の同期を取るための同期信号生成部４１５、デジタル信号をアナログ信号に変換し、それをＲＦ信号に上向き変換してＲＦ信号を増幅するＲＦ処理部４２０を備えてなる。
【００３９】
上記携帯電話の制御信号送出器４００の動作は、先ず、管理装置３２６の制御により行われ、管理装置３２６から送り出したいＰＮオフセットの番号を選択すると、制御信号発生部４１０においては、上記ＰＮオフセット番号に該当するパイロット信号を同時信号生成部４１５において生成された同期信号に同期して生じる。上記制御信号発生部４１０において生成されたパイロット信号は、中間周波数（ＩＦ）信号としてＲＦ処理部４２０に送られる。上記ＲＦ処理部４２０は、上記制御信号発生部４１０から受け取ったパイロット信号をアナログ信号に変換し、該変換されたアナログ信号をセルラー周波数及び／または個人携帯電話（ＰＣＳ：Personnal Communication Service）周波数帯域に上向き変換する。ＲＦ周波数に変換された信号は、ＲＦ増幅器を経てアンテナに送られ、最終的に空中に伝播される。
【００４０】
図５及び図６は、本発明の好適な実施の形態による携帯電話の機能制御の動作を示すフローチャートである。
【００４１】
携帯電話は、ステップＳ５０２において、ＰＮ「１」を見つける。また、ステップＳ５０４において、機能制限域または禁止域の境界域に設けられた携帯電話の制御信号送出器から送り出されたＰＮ「１」を受信した場合、ステップＳ５０９において、機能制限域への進入中であることを感知し、ステップＳ５１０へ進んでＰＮ「５１１」を見つける。しかしながら、上記ステップＳ５０４において、上記ＰＮ「１」を受信できなかった場合、ステップＳ５０６に進み、ＰＮ「５１１」を見つける。この後、ステップＳ５０８において、上記ＰＮ「５１１」を見つけた場合、携帯電話が機能制限域に位置しているものとし、ステップＳ５１３において、機能制限を設定する。ところが、上記ＰＮ「５１１」を見つけられなかった場合、ステップＳ５０２へ進む。
【００４２】
上記ステップＳ５１０において、ＰＮ「５１１」を見つけることを試みた後、ステップＳ５１２において、ＰＮ「５１１」を見つけた場合、上記ステップＳ５１３において、機能制限を設定し、ステップＳ５１４において、上記ＰＮ「５１１」が継続して存在しているかどうかをチェックする。次いで、上記ＰＮ「５１１」が継続して存在していると、ステップＳ５１６において、上記ＰＮ「５１１」を見つけ続ける。
【００４３】
ところが、上記ステップＳ５１４におけるチェックの結果、上記ＰＮ「５１１」が継続して存在していない場合、ステップＳ５１８において、ＰＮ「１」を見つけ、ステップＳ５２０において、上記特別なＰＮ「１」を見つけた場合、図５ＢにおけるステップＳ５３４において、携帯電話の機能制限を解除し、上記特別なＰＮ「１」を見つけられなかった場合、ステップＳ５２１において、まだ携帯電話の位置が機能制限域にあると判断して、機能制限を保持する。
【００４４】
次いで、ステップＳ５２２において、携帯電話はＰＮ「５１１」を見つける。上記ステップＳ５２２は、機能非制限域から機能制限域へと戻っている場合に該当し、ステップＳ５２４は、携帯電話が機能制限域から機能非制限域に近寄る場合に該当し、ＰＮ「５１１」を見つけた場合、ステップＳ５３０に進み、上記ＰＮ「５１１」を見つけられなかった場合、ステップＳ５２６に進んでＰＮ「１」を見つける。
【００４５】
上記ステップＳ５２８において、ＰＮ「１」を見つけた場合、ステップＳ５３４に進み、所定の時間内に上記ＰＮ「１」を見つけられなかった場合、上記ステップＳ５２２に進んでさらにＰＮ「５１１」を見つける。
【００４６】
上記ステップＳ５３０においては、ＰＮ「１」を見つけ、ステップＳ５３２において、特別なＰＮ「１」を見つけた場合、ステップＳ５３４において、機能制限を解除する。次いで、ステップＳ５３６において、ＰＮ「１」が継続して存在していると、上記特別なＰＮ「１」を探索してその存否をチェックし続け、継続して存在していない場合、ステップＳ５４０に進んでＰＮ「５１１」を見つける。ステップＳ５４２において、ＰＮ「５１１」を見つけた場合、ステップＳ５１４に戻り、ステップＳ５１３において、機能制限を設定する。しかし、上記ステップＳ５４２において、上記ＰＮ「５１１」を見つけられなかった場合、携帯電話が非制限域に位置していないものとして、終了するか、又は上記ステップＳ５０２に戻る。
【００４７】
このように、携帯電話の種々の移動経路においても正常な携帯電話の制御動作が行えるように、種々の場合を適用して携帯電話の異常な動作を防ぐ。
【００４８】
このとき、重り合う地域における、動作制御に対するヒステリーは、受信信号の強度に臨界値を設定してその防止を図る。例えば、パイロット信号のＥｃ／Ｉｏが−１２ｄＢ以上となる場合、端末は、パイロット信号があることを判断し、パイロット信号のＥｃ／Ｉｏが−２０ｄＢ以下である場合には、パイロット信号がないことを判断する。このような信号強度の臨界値は、信号が重なり合う地域における端末の動作制御のヒステリーを防ぐ。
【００４９】
図７は、本発明の好適な実施の形態による携帯電話の機能制御の構造図である。
【００５０】
受信部６１０は、特別なＰＮを含む携帯電話の機能制御信号を受信し、探索部６２０は、上記受信部６１０にＰＮオフセット１若しくは５１１のパイロット信号が受信されているかどうかを探索して、その探索の結果情報を判断部６３０に与える。携帯電話の位置が機能非制限域から機能制限域へと移動するに伴い、ＰＮ「１」を受信してからＰＮ「５１１」を受信した場合、上記判断部６３０は、機能制限設定部６４０により上記ＰＮに応じて設定された制限機能を設定する。
【００５１】
次いで、携帯電話が機能制限域から機能非制限域へと移動するに伴い、ＰＮ「１」を受信してから、ＰＮ「５１１」を受信した場合、上記判断部６３０は、機能制限解除部６５０及び上記機能制限設定部６４０により設定された制限機能を解除することになる。ここで、機能制限設定部６４０と機能制限解除部６５０は、単一の機能制限制御部として統合可能である。
【００５２】
また、上記判断部６３０は、携帯電話が、上記ＰＮ「５１１」の送り出される領域から機能制限域へと入ることなく、機能非制限域に出る場合には、探索部６２０にＰＮ「１」を探索させて、上記ＰＮ「１」の受信時に機能制限解除部６５０に機能制限の解除指令を送る。また、上記機能制限域から機能非制限域に移動した後、さらに機能制限域に移動する場合であっても、ＰＮ「５１１」を探索させて、上記ＰＮ「５１１」の受信時に機能制限設定部６４０に機能制限指令を送る。
【００５３】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５４】
【図１】従来の技術による携帯電話の制御信号送信器の構造図。
【図２】従来の技術による携帯電話の制御信号受信器の構造図。
【図３】本発明の好適な実施の形態による携帯電話の機能制御システムの構造図。
【図４】本発明の好適な実施の形態による携帯電話の制御信号送出器の構造図。
【図５】本発明の好適な実施の形態による携帯電話の機能制御動作を示すフローチャート。
【図６】本発明の好適な実施の形態による携帯電話の機能制御動作を示すフローチャート。
【図７】本発明の好適な実施の形態による携帯電話の機能制御の構造図。
【符号の説明】
【００５５】
３００  禁止域
３０２  携帯電話
３１０  第１のパイロット信号送出領域
３２０  境界域
３２２  第１の制御信号送出装置
３２４  第２の制御信号送出装置
３２６  管理装置
３３０  第２のパイロット信号送出領域
３４０  禁止域
【図１】
2007020170.tif 000003
【図２】
2007020170.tif 000004
【図３】
2007020170.tif 000005
【図４】
2007020170.tif 000006
【図５】
2007020170.tif 000007
【図６】
2007020170.tif 000008
【図７】
2007020170.tif 000009